【手続補正書】
【提出日】平成25年7月8日(2013.7.8)
【手続補正１】
【補正対象書類名】明細書
【補正対象項目名】００１１
【補正方法】変更
【補正の内容】
【００１１】
そのために本発明では、所定方向に配列されたインクを吐出するための複数のノズルにより構成されるノズル列と、前記ノズルに対応して設けられたインクを吐出するために利用されるエネルギーを発生するエネルギー発生素子と、を有するチップを複数有し、隣接する前記チップの端部のノズル同士が前記所定方向と交差する方向に重複してつなぎ部を構成するように複数の前記チップが前記所定方向に配置された記録ヘッドと、記録媒体と、を前記交差する方向に相対的に移動させながら前記ノズルからインクを吐出させることにより記録媒体に記録を行うインクジェット記録装置であって、前記複数のチップそれぞれには、前記チップの、前記ノズル列の両端部の前記つなぎ部に対応する部分それぞれの温度に関する温度情報を取得するための複数の温度センサが設けられ、前記複数のチップの前記つなぎ部に対応する部分それぞれの温度に関する温度情報を前記複数の温度センサそれぞれから取得する温度情報取得手段と、前記温度情報取得手段によって取得された前記チップの前記つなぎ部に対応する部分の前記温度情報に基づいて、前記チップの前記つなぎ部を構成するノズルからのインクの吐出量を制御する吐出量制御手段と、を具えたことを特徴とする。
【手続補正２】
【補正対象書類名】特許請求の範囲
【補正対象項目名】全文
【補正方法】変更
【補正の内容】
【特許請求の範囲】
【請求項１】
所定方向に配列されたインクを吐出するための複数のノズルにより構成されるノズル列と、前記ノズルに対応して設けられたインクを吐出するために利用されるエネルギーを発生するエネルギー発生素子と、を有するチップを複数有し、隣接する前記チップの端部のノズル同士が前記所定方向と交差する方向に重複してつなぎ部を構成するように複数の前記チップが前記所定方向に配置された記録ヘッドと、記録媒体と、を前記交差する方向に相対的に移動させながら前記ノズルからインクを吐出させることにより記録媒体に記録を行うインクジェット記録装置であって、
前記複数のチップそれぞれには、前記チップの、前記ノズル列の両端部の前記つなぎ部に対応する部分それぞれの温度に関する温度情報を取得するための複数の温度センサが設けられ、
前記複数のチップの前記つなぎ部に対応する部分それぞれの温度に関する温度情報を前記複数の温度センサそれぞれから取得する温度情報取得手段と、
前記温度情報取得手段によって取得された前記チップの前記つなぎ部に対応する部分の前記温度情報に基づいて、前記チップの前記つなぎ部を構成するノズルからのインクの吐出量を制御する吐出量制御手段と、
を具えたことを特徴とするインクジェット記録装置。
【請求項２】
前記温度情報取得手段は、前記複数のチップそれぞれの前記つなぎ部に対応する部分の前記温度情報を所定の順序で取得し、かつ、１つの前記つなぎ部を構成する複数の前記チップの前記つなぎ部に対応する部分の前記温度情報それぞれを連続する順序で取得することを特徴とする請求項１に記載のインクジェット記録装置。
【請求項３】
前記複数のチップそれぞれには、少なくとも前記チップの両端の、前記つなぎ部に対応する位置に前記温度センサそれぞれが設けられ、
前記温度情報取得手段は、１つの前記つなぎ部を構成する前記チップそれぞれの前記１つのつなぎ部に対応する位置の前記温度センサそれぞれから連続する順序で前記温度情報を取得することを特徴とする請求項１または２インクジェット記録装置。
【請求項４】
複数の前記記録ヘッドを用い、
前記温度情報取得手段は、前記複数の温度センサから温度情報を取得する際に、異なる記録ヘッド間で同時に複数の温度センサから温度情報を取得することを特徴とする請求項１ないし３のいずれかに記載のインクジェット記録装置。
【請求項５】
前記温度情報取得手段は、前記複数の温度センサから温度情報を取得する際に、前記異なる記録ヘッド間で、記録ヘッドにおける同じ位置にある温度センサから同時に温度情報を取得することを特徴とする請求項４に記載のインクジェット記録装置。
【請求項６】
前記温度情報取得手段は、前記複数の温度センサから温度情報を取得する際に、前記異なる記録ヘッド間で、記録ヘッドにおける異なる位置にある温度センサら同時に温度情報を取得することを特徴とする請求項４に記載のインクジェット記録装置。
【請求項７】
前記温度情報取得手段は、前記複数の温度センサから温度情報を取得する際に、前記エネルギー発生素子を駆動するためのパルス信号が印加されていないタイミングで個々の温度センサから温度情報を取得することを特徴とする請求項１乃至６のいずれかに記載のインクジェット記録装置。
【請求項８】
前記温度情報取得手段は、前記複数の温度センサから温度情報を取得する際に、さらに、前記温度センサから温度情報を取得する直前の前記パルス信号の印加から、温度情報取得時間より長い時間の待機時間をおいてから前記温度センサから温度情報を取得することを特徴とする請求項７に記載のインクジェット記録装置。
【請求項９】
複数のノズルを、複数のブロックに分けてブロック毎に順番に駆動し、
前記温度情報取得手段は、全ブロック駆動後に１つの前記つなぎ部を構成する複数の前記チップの前記つなぎ部に対応する部分のうちの一方のチップの前記つなぎ部に対応する部分の前記温度情報を取得し、前記吐出量制御手段は、取得された前記温度情報に基づいて一方のチップの前記つなぎ部の前記ノズルの吐出量を補正し、
次いで、次に全ブロックの駆動が行われた後に、前記温度情報取得手段は、全ブロック駆動後に１つの前記つなぎ部を構成する複数の前記チップの前記つなぎ部に対応する部分のうちの他方のチップの前記つなぎ部に対応する部分の前記温度情報を取得し、前記吐出量制御手段は、取得された前記温度に基づいて他方のチップの前記つなぎ部の前記ノズルの吐出量を補正することを特徴とする請求項７または８に記載のインクジェット記録装置。
【請求項１０】
前記吐出量制御手段は、同じ前記チップの異なる温度センサそれぞれから連続する順序で温度を取得することを特徴とする請求項１乃至９のいずれかに記載のインクジェット記録装置。
【請求項１１】
一つの前記チップの両端の前記センサの間の位置に別の前記センサが設けられていることを特徴とする請求項３乃至９のいずれかに記載のインクジェット記録装置。
【請求項１２】
前記エネルギー発生素子はヒータであり、前記吐出量制御手段は、前記ヒータの駆動を制御することにより前記吐出量を制御することを特徴とする請求項１乃至１１のいずれかに記載のインクジェット記録装置。
【請求項１３】
所定方向に配列されたインクを吐出するための複数のノズルにより構成されるノズル列と、前記ノズルに対応して設けられたインクを吐出するために利用されるエネルギーを発生するエネルギー発生素子と、を有するチップを複数有し、隣接する前記チップの端部のノズル同士が前記所定方向と交差する方向に重複してつなぎ部を構成するように複数の前記チップが前記所定方向に配置された記録ヘッドと、記録媒体と、を前記交差する方向に相対的に移動させながら前記ノズルからインクを吐出させることにより記録媒体に記録を行うインクジェット記録装置における記録ヘッドの温度制御方法であって、
前記複数のチップそれぞれには、前記チップの、前記ノズル列の両端部の前記つなぎ部に対応する部分それぞれの温度に関する温度情報を取得するための複数の温度センサが設けられ、
前記複数のチップの前記つなぎ部に対応する部分それぞれの温度に関する温度情報を前記複数の温度センサそれぞれから取得する温度情報取得工程と、
前記温度情報取得工程で取得された前記チップの前記つなぎ部に対応する部分の前記温度情報に基づいて、前記チップの前記つなぎ部を構成するノズルからのインクの吐出量を制御する吐出量制御工程と、
を有したことを特徴とする記録ヘッドの温度制御方法。